(57)【要約】【課題】冷蔵ショーケースのメンテナンスに要する手間を省く。【解決手段】収納室１６を内部画成した上部ケース１２の底部に上部支柱３０を下方に向けて突設する。収納室１６を冷却するための冷却ユニットが設置された機械室２６が内部画成された下部ケース１４に下部支柱４０を立設する。上部ケース１２を下部ケース１４から取り外し、下部支柱４０に上部支柱４０を嵌合させることで、上部ケース１２が下部ケース１４の上方に離間した状態で保持され、下部ケース１４の上部開口が開放される。【選択図】  図２
2005009694.tif 000002
【特許請求の範囲】
【請求項１】
物品を冷蔵保存する収納室（１６）が内部に画成された上部ケース（１２）と、機械室（２６）が内部に画成され、上方に開放する上部開口を備えた下部ケース（１４）とを上下の関係で取り外し自在に組合わせ、メンテナンス時には前記上部ケース（１２）を下部ケース（１４）から取り外すことで、該下部ケース（１４）における前記機械室（２６）内の冷却ユニット（２８）を露出させるようにした冷蔵ショーケースにおいて、
取り外した前記上部ケース（１２）を前記下部ケース（１４）の上方に保持して、該下部ケース（１４）の上部開口を開放させる保持手段（３０，４０，５０）を設け、
前記保持手段（３０，４０，５０）を常には前記機械室（２６）の余剰スペースに収納し得るよう構成した
ことを特徴とする冷蔵ショーケース。
【請求項２】
前記保持手段は、前記上部ケース（１２）の底部に前記機械室（２６）内に格納されるよう下方に向けて突設され、先端に第１嵌合部（３２）を設けた上部支柱（３０）と、
前記下部ケース（１４）の機械室（２６）内に立設され、先端に第２嵌合部（４２）を設けた下部支柱（４０）とからなり、
前記上部支柱（３０）の第１嵌合部（３２）を前記下部支柱（４０）の第２嵌合部（４２）に嵌合することで、前記下部ケース（１４）の上部開口を開放した状態で、取り外した前記上部ケース（１２）が、該下部ケース（１４）の上方に保持される請求項１記載の冷蔵ショーケース。
【請求項３】
前記上部ケース（１２）の底部における前記上部支柱（３０）の配設位置から長手方向に離間する位置に、常には該底部に沿って倒した状態に保持される補助脚（５０）が回動自在に設けられ、該上部支柱（３０）を前記下部支柱（４０）に嵌合した際に、前記補助脚（５０）を起立させることで、該補助脚（５０）により上部ケース（１２）における上部支柱（３０）の配設位置から離間する位置を前記下部ケース（１４）の上方に離間した状態に支持する請求項２記載の冷蔵ショーケース。
【請求項４】
物品を冷蔵保存する収納室（１６）が内部に画成され、該収納室（１６）を冷却する冷却器（６４，６６）を設けた上部ケース（１２）と、冷却ユニット（２８）が設置される機械室（２６）が内部に画成され、上方に開放する上部開口を備えた下部ケース（１４）とを上下の関係で取り外し自在に組合わせ、メンテナンス時には前記上部ケース（１２）を下部ケース（１４）から取り外すことで、該下部ケース（１４）における前記機械室（２６）内の冷却ユニット（２８）を露出させるようにした冷蔵ショーケースにおいて、
前記上部ケース（１２）に設けた冷却器（６４，６６）と下部ケース（１４）に設けた冷却ユニット（２８）とを接続する冷媒配管（６８）の長さに余裕を持たせ、該下部ケース（１４）から上部ケース（１２）を取り外す際に、該上部ケース（１２）の移動に追従して該冷媒配管（６８）の余裕部分が延伸するよう構成した
ことを特徴とする冷蔵ショーケース。
【発明の詳細な説明】
【０００１】
【発明の属する技術分野】
この発明は、冷蔵ショーケースに関し、更に詳細には、物品を冷蔵保存する収納室が内部画成された上部ケースと、前記収納室を冷却するための冷却ユニットを設置する機械室が内部画成された下部ケースとが上下の関係で組付けられ、上部ケースを下部ケースから取り外すことで、前記機械室内の冷却ユニットのメンテナンスが実施可能に構成された冷蔵ショーケースに関するものである。
【０００２】
【従来の技術】
食品や飲料品等の物品を冷蔵等して保存する冷蔵ショーケースとしては、例えば寿司屋等のカウンタに設置され、客に収納した寿司ネタ等の生鮮食材を展示しながら冷蔵保存するネタケースと呼ばれるものがある。例えば図７に示すように、冷蔵ショーケース１０は、物品を冷蔵保存する収納室１６を内部画成した上部ケース１２と、この収納室１６を冷却するための圧縮機等の冷却ユニットが設置される機械室２６が内部画成した下部ケース１４とが上下の関係で組付けられ、該上部ケース１２は下部ケース１４から分離可能になっている。前記収納室１６は、上部、側部および底部が断熱構造とされた断熱箱体１３の内部に画成されると共に、その前部にはフロントガラス２０が嵌め込まれ、該収納室１６の内部が前面から見えるようになっている。そして、前記断熱箱体１３の後部には、収納室１６に対する物品出入口２１が開設されると共に、該物品出入口２１にはスライド扉２２，２２がスライド自在に取付けられ、該スライド扉２２，２２を左右方向にスライドして物品出入口２１を開放することで、物品の出し入れを許容するよう構成されている。
【０００３】
前記収納室１６は、この収納室１６の上部に左右方向に亘って配設された上部冷却管６４と、該収納室１６の底板における断熱材側に臨む外底面に密着するよう蛇行して配設された下部冷却管６６とに、前記冷却ユニットから冷媒を循環供給することで冷却される（図８参照）。前記収納室１６の上部および下部冷却管６４，６６に冷媒を供給する冷却ユニットは、前記下部ケース１４を構成する上方に開口するキャビネット２４の内部に画成した機械室２６内に設置され、圧縮機、凝縮器および凝縮器ファン等（何れも図示せず）を冷媒配管６８で接続して冷却回路を構成している。そして、冷却ユニットから導出して前記上部および下部冷却管６４，６６に冷媒を循環供給する冷媒配管６８は、その一部が上部ケース１２と下部ケース１４との間を前記収納室１６および機械室２６の外側方に露出して配設されている（図７参照）。なお、冷蔵ショーケースに関連する技術は、例えば特許文献１に開示されている。
【０００４】
また、前記冷蔵ショーケース１０は、前記収納室１６内を清潔に保つため、定期的に清掃がなされる。前記収納室１６の底面は、スライド扉２２側からフロントガラス２０側に向けて下方傾斜するよう底板が組付けられ、所要量の洗浄水を該収納室１６内に貯留しつつ洗浄することができる。ここで洗浄水は、前記収納室１６の傾斜下端側（フロントガラス２０側）に設けられた排水口から排水管６０を介して、冷蔵ショーケース１０外に排出されるようになっている。前記排水管６０は収納室１６の下部を画成する断熱箱体１３を貫通し、下部ケース１４の機械室２６内において、前記上部ケース１２の底部に沿って後方に向けて延設されている。
【０００５】
前記冷蔵ショーケース１０は、前記機械室２６に設置された冷却ユニットの各機器を定期的に点検または故障時にメンテナンスする必要がある。そこで、前記冷蔵ショーケース１０においては、前記上部ケース１２の側壁をなす両サイドカバー１８，１８と、フロントガラス２０とを取り外した後、前記下部ケース１４から該上部ケース１２を取り外すことで、該下部ケース１４の上部開口を開放し、この開口から機械室２６内の冷却ユニットを構成する各機器のメンテナンスが実施される。
【０００６】
【特許文献１】
特公平６−１０３１３８号公報
【０００７】
【発明が解決しようとする課題】
前記冷蔵ショーケース１０のメンテナンスを行なう際に、取り外された上部ケース１２を別の場所に仮置きするためのスペースが必要になる問題が指摘される。また、前記上部ケース１２の底部には、排水管６０が突出しているため、仮置きに際しては、床との間に枕木を介在させる必要がある。すなわち、枕木を別途用意する必要があり、また排水管６０を傷付けないよう枕木の位置合わせをする手間が煩雑である難点もあった。
【０００８】
前記上部ケース１２および下部ケース１４の外方に配設された冷媒配管６８は、図８に示すように最短経路を通るように配設されている。従って、前記下部ケース１４から上部ケース１２を取り外してメンテナンスを実施する際には、冷媒配管６８を溶断して下部ケース１４から上部ケース１２を取り外している。そして、メンテナンスの完了後、溶断した冷媒配管６８を溶接装置で溶接している。このように、メンテナンス作業に際し、前記冷媒配管６８を溶断および溶接する手間が発生すると共に、溶接装置等の機器が必要になってしまう問題が指摘される。また、前記冷媒配管６８を溶断および再溶接すると、元のロー材を取り除く作業が発生したり、溶接品質が不安定になってしまう欠点もある。
【０００９】
【発明の目的】
この発明は、従来の技術に係る冷蔵ショーケースに内在する前記問題に鑑み、上部ケースを下部ケースから取り外して機械室の機器をメンテナンスする際における手間の省くことのできる冷蔵ショーケースを提供することを目的とする。
【００１０】
【課題を解決するための手段】
前記課題を克服し、所期の目的を達成するため、本発明に係る冷蔵ショーケースは、
物品を冷蔵保存する収納室が内部に画成された上部ケースと、機械室が内部に画成され、上方に開放する上部開口を備えた下部ケースとを上下の関係で取り外し自在に組合わせ、メンテナンス時には前記上部ケースを下部ケースから取り外すことで、該下部ケースにおける前記機械室内の冷却ユニットを露出させるようにした冷蔵ショーケースにおいて、
取り外した前記上部ケースを前記下部ケースの上方に保持して、該下部ケースの上部開口を開放させる保持手段を設け、
前記保持手段を常には前記機械室の余剰スペースに収納し得るよう構成したことを特徴とする。
【００１１】
前記課題を克服し、所期の目的を達成するため、本願の別の発明に係る冷蔵ショーケースは、
物品を冷蔵保存する収納室が内部に画成され、該収納室を冷却する冷却器を設けた上部ケースと、冷却ユニットが設置される機械室が内部に画成され、上方に開放する上部開口を備えた下部ケースとを上下の関係で取り外し自在に組合わせ、メンテナンス時には前記上部ケースを下部ケースから取り外すことで、該下部ケースにおける前記機械室内の冷却ユニットを露出させるようにした冷蔵ショーケースにおいて、
前記上部ケースに設けた冷却器と下部ケースに設けた冷却ユニットとを接続する冷媒配管の長さに余裕を持たせ、該下部ケースから上部ケースを取り外す際に、該上部ケースの移動に追従して該冷媒配管の余裕部分が延伸するよう構成したことを特徴とする。
【００１２】
【発明の実施の形態】
次に、本発明に係る冷蔵ショーケースにつき、好適な実施例を挙げて、添付図面を参照して以下に説明する。なお、従来の技術で挙げた図７および図８に示した冷蔵ショーケースの構成要素と同一の要素については、同一の符号を使用して詳細な説明は省略する。
【００１３】
【第１実施例】
図１に示すように、第１実施例に係る冷蔵ショーケース１１は、生鮮食材等の物品を冷蔵保存する収納室１６を内部に画成した上部ケース１２と、この収納室１６を冷却するための圧縮機等の冷却ユニット２８が設置された機械室２６が内部に画成され、上方に開放する上部開口を備えた下部ケース１４とが上下の関係で取り外し自在に組合わせられている。そして、メンテナンス時に前記上部ケース１２を下部ケース１４から取り外すことで、該下部ケース１４における前記機械室２６内に設置された冷却ユニット２８等を露出させるように構成されている。
【００１４】
前記上部ケース１２は、基本的には内箱１３ａと外箱１３ｂの間にウレタンフォーム等の断熱材１３ｃを充填した断熱箱体１３で構成され、該断熱箱体１３の内部に収納室１６が画成されている。前記収納室１６の前側、すなわちカウンタ等に冷蔵ショーケース１１を載置した際に客先に臨む断熱箱体１３の前側には、透明な複層ガラスからなるフロントガラス２０が嵌め込まれて、収納室１６に収納されている物品を前方から確認することができるようになっている。これに対し、前記断熱箱体１３の後側には、物品出入口２１が開設されると共に、この物品出入口２１は、上下をレール４６，４８で保持したスライド扉２２，２２が左右方向にスライド自在に配設され、該物品出入口２１を開閉可能に構成してある。前記収納室１６の底面は、前記スライド扉２２側からフロントガラス２０側に向けて下方傾斜され、該底面に載置された簀の子等の台座の上に物品が陳列され、収納した物品を前側から見易くしている。そして、前記収納室１６は、この収納室１６の上部に左右方向に亘って配設された上部冷却管（冷却器）６４と、該収納室１６の底面を構成する前記内箱１３ａにおける断熱材１３ｃ側に臨む外底面に密着するよう蛇行して配設された下部冷却管（冷却器）６６とに後述する冷却ユニット２８から冷媒を循環供給することで冷却されるようになっている。
【００１５】
前記上部ケース１２の下方に位置する下部ケース１４は、上方に開口するキャビネット２４に画成された機械室２６に圧縮機ＣＭ、凝縮器および凝縮器ファン等の冷却ユニット２８が、該下部ケース１４の底面をなす底枠２５上に設置されている。前記収納室１６の上部および下部冷却管６４，６６と冷却ユニット２８をなす各機器間とは冷媒配管で接続され、冷媒が循環する冷却回路を構成している。
【００１６】
また、前記収納室１６の傾斜下方端（フロントガラス２０）側には排水口（図示せず）が設けられ、この排水口に接続した排水管６０を介して冷蔵ショーケース１１外に収納室１６内に溜った水を排出するようになっている。前記排水管６０は、前記上部ケース１２の底部から突出した後、下部ケース１４の機械室２６内を、該底部に沿って後方に向けて延設され、その出口は該下部ケース１４のキャビネット２４に設けられた通孔２４ａから外方に臨んでいる。ここで、前記機械室２６内に突出する前記排水管６０は、該機械室２６に設置される冷却ユニット２８と干渉しないように、上部ケース１２における左右方向（長手方向）の一方の側縁部に配管されている（図３参照）。
【００１７】
前記上部ケース１２の底部には、前記排水管６０に隣接する位置に下方に突出する円柱形の上部支柱３０が配設されている。前記上部支柱３０は、前記下部ケース１４の機械室２６に設置された冷却ユニット２８や、その他の部材等に干渉しない部位、第１実施例では前記上部ケース１２の底部における前記排水管６０が配管されている一方の側縁部で前側に偏った位置に溶接等の手段により堅固に取付けられている。そして、前記上部支柱３０の先端（下端）には、該上部支柱３０の胴部分の直径より大きく寸法設定したフランジ部３４が形成され、その中心には嵌合凹部（第１嵌合部）３２が穿設されている。
【００１８】
前記機械室２６を画成するキャビネット２４の底板をなす底枠２５には、上方に突出する円柱形の下部支柱４０が配設されている。前記下部支柱４０は、前記上部ケース１２の底部に突設された前記上部支柱３０と同じ側の側縁部に立設され、前記下部支柱４０の胴部分は、前記上部支柱３０の胴部分の直径と略同一に設定されると共に、その先端（上端）は胴部分より小径に設定されて、前記上部支柱３０の嵌合凹部３２の内径と略同一の嵌合凸部（第２嵌合部）４２が形成されている。そして、前記嵌合凹部３２と嵌合凸部４２とが、着脱自在かつ回動自在に嵌合されるよう構成される。
【００１９】
前記上部支柱３０は、少なくとも前記排水管６０の下方向への突出寸法より長く設定され、かつ下部ケース１４に上部ケース１２を組付けた状態で前記機械室２６の底枠２５と干渉しない長さに設定されている。また前記下部支柱４０は、下部ケース１４に組付けられて上部開口を覆っている上部ケース１２の底部に干渉しない長さに設定される。すなわち、前記上部支柱３０および下部支柱４０は、上部ケース１２と下部ケース１４とを組付けた冷蔵ショーケース１１の通常使用状態において、前記機械室２６内に格納される寸法に設定される。更に、第１実施例の上部支柱３０と下部支柱４０とは前後方向に離間配置されて上部支柱３０および下部支柱４０が互いにまたは冷却ユニット２８等の他の部材と干渉しないようになっている（図１参照）。
【００２０】
前記上部支柱３０および下部支柱４０は、前述した条件に加えて、該上部支柱３０の嵌合凹部３２を下部支柱４０の嵌合凸部４２に嵌合して、前記上部ケース１２を上下支柱３０，４０で保持した際に、前記上部ケース１２の底部に延設される排水管６０が、前記下部ケース１４のキャビネット２４における側壁の上端より上方に離間して位置する共に、下部ケース１４の上部開口が開放される。すなわち第１実施例においては、上部支柱３０と下部支柱４０とから保持手段が構成される。
【００２１】
【第１実施例の作用】
次に、第１実施例に係る冷蔵ショーケースの作用について説明する。メンテナンスに際し、先ず上部ケース１２からフロントガラス２０および両サイドカバー１８，１８を取り外す。次に、下部ケース１４から上部ケース１２を取り外して上方に引き上げる（図３（ａ）参照）。そして、分離させた上部ケース１２を後方に移動させ、下部ケース１４に立設された下部支柱４０の嵌合凸部４２に、該上部ケース１２の底部に突設された上部支柱３０の嵌合凹部３２を外挿させる（図２および図３（ｂ）参照）。これにより、前記上部ケース１２は、前記下部ケース１４に上下支柱３０，４０を介して支持され、該下部ケース１４から嵌合させた上下支柱３０，４０の長さ分だけ上方に離間すると共に、後方にずれた状態に保持される。この時、前記上部ケース１２の底部に沿って延設された排水管６０は、前記下部ケース１４のキャビネット２４の上方に位置している。
【００２２】
すなわち、前記下部ケース１４の上部開口を覆う天板となっていた前記上部ケース１２の底部が、上下支柱３０，４０により上方に離間支持されることで、該下部ケース１４における機械室２６の上部開口が開放される。この時、前記上部支柱３０は、前側に偏って配設されているから、下部ケース１４の前部上方には上部ケース１２が存在しない空間３６が生じ、該空間３６を介して前記機械室２６に配設された冷却ユニット２８の各機器の点検または交換等のメンテナンスをすることができる。また、前記上下支柱３０，４０は、各ケース１２，１４の一側方に設けられているから、該下部支柱４０を中心として上部ケース１２を水平に回動させることで、下部ケース１４の前記空間３６を拡げることができる（図４参照）。なお、前記上下支柱３０，４０は、前記機械室２６内の余剰スペースに配設されているので、新たに該支柱３０，４０の配設場所を用意する必要はない。
【００２３】
このように、前記上部ケース１２を上下支柱３０，４０を介して下部ケース１４の上方に保持することで、上部ケース１２を別の場所に仮置きすることはない。従って、上部スペース１２の仮置きスペースおよび仮置きするための枕木の準備の必要がなくなり、メンテナンスに際しての手間が省ける。
【００２４】
前記上部支柱３０は、前記上部ケース１２の底部に沿って後側に向けて配設された排水管６０に隣接して設けられ、該排水管６０は該上部支柱３０のフランジ部３４と該底部との間を延設されている。従って、前記上部ケース１２を下部ケース１４から取り外して、上下支柱３０，４０を嵌合する際に、前記排水管６０が他の部材に当たって破損することを防止することができる。
【００２５】
【第２実施例】
図５は、第２実施例に係る冷蔵ショーケースを示すものであって、その構成は、前述した第１実施例に係る冷蔵ショーケースと基本的に同じであるので、同一の要素の説明は省略する。第２実施例に係る冷蔵ショーケース１５において、上部ケース１２に内部画成される収納室１６は、この収納室１６の上部に左右方向に亘って配設された上部冷却管６４と、該収納室１６の底面を構成する断熱箱体の内箱１３ａにおける断熱材１３ｃ側に臨む外底面に密着するよう蛇行して配設された下部冷却管６６とに、冷却ユニット２８から冷媒を循環供給することで冷却されるようになっている。そして、前記両冷却管６４，６６に冷媒を供給する冷却ユニット２８は、下部ケース１４の機械室２６内に配設された圧縮機ＣＭ、凝縮器等からなり、この各機器と前記両冷却管６４，６６間を冷媒配管６８で接続することで冷却回路が構成されている。
【００２６】
前記上部ケース１２の収納室１６に配設された両冷却管６４，６６と下部ケース１４の機械室２６に配設された冷却ユニット２８を連結する冷媒配管６８は、図５に示すように、該機械室２６の側方から一旦導出されて、該収納室１６の側方から導入され、その長さは余裕が設けられている。すなわち、前記機械室２６と収納室１６との間の外方に配設される冷媒配管６８には、蛇行状に配管された余裕部分７４が形成される。より具体的には、前記冷却ユニット２８で圧縮液化された液化冷媒を供給する側の冷媒配管６８は、前記機械室２６の側方から一旦引き出され、収納室１６の側方を蛇行しながら収納室１６に引き込まれて上部冷却管６４の入口側に接続される。前記収納室１６の上部に左右方向に亘って配設された上部冷却管６４の出口側は、該収納室１６の側方に引き出され、該収納室１６の側方に沿って配管されて底部を構成する断熱箱体１３に引き込まれて下部冷却管６６の入口側に接続される。そして、前記収納室１６の底面を蛇行して配設された下部冷却管６６の出口側は、該収納室１６の側方に引き出されて前記供給する側の冷媒配管６８にそって配管される。
【００２７】
このように、前記収納室１６と機械室２６との間に配設される冷媒配管６８を、蛇行状に配管された余裕部分７４を形成することで、メンテナンスに際し、上部ケース１２を下部ケース１４から取り外して前記上部開口を開放させると、これに伴って前記余裕部分７４が延伸して該上部ケース１２の移動を許容する。すなわち、メンテナンスに際して冷媒配管６８を溶断したり、再溶接する必要はなく作業の手間を省くことができる。
【００２８】
なお、第２実施例に係る冷蔵ショーケース１５では、前記収納室１６と機械室２６との間の冷媒配管６８を蛇行状に配設することで余裕部分７４を形成したが、例えば冷媒配管６８をスパイラル状に巻くことで余裕部分を形成する構成を採用することができる。すなわち、メンテナンスの際の前記上部ケース１２の分離移動に伴って、該上部ケース１２の冷却管６４，６６と下部ケース１４の冷却ユニット２８とを連結している冷媒配管６８が延伸し、メンテナンス完了後に上部ケース１２と下部ケース１４とを通常使用状態に戻した際に、該冷媒配管６８が収縮してサイドカバー１８に収納し得る構成であれば限定されない。
【００２９】
【変更例】
図６は、変更例に係る冷蔵ショーケースを示すものであって、該冷蔵ショーケース１７の構成は前記第１実施例と同一であるので、異なる部分についてのみ説明する。すなわち、前記上部ケース１２の底部における前記上部支柱３０の配設位置から左右方向（長手方向）に離間する位置には、該底部に対して補助脚５０がヒンジ５２を介して回動自在に配設されている。前記補助脚５０は、冷蔵ショーケース１７の通常使用状態において、図示しない付勢手段により前記上部ケース１２の底部に沿って倒れた状態に保持されている。そして、前記上部支柱３０を前記下部支柱４０に嵌合するに際し、前記補助脚５０を起立することで、前記上部支柱３０の配設位置から離間する位置を前記下部ケース１４の上方に離間した状態に支持するよう構成されている。
【００３０】
このように前記上部ケース１２の底部に、前記上部支柱３０と離間して補助脚５０を設けることで、前記上下支柱３０，４０のみで該上部ケース１２を片持ち支持できないような左右方向に長尺な冷蔵ショーケースについても、メンテナンスに際して、前記空間３６を開放した状態で上部ケース１２を安定して保持することができる。すなわち、変更例では上下支柱３０，４０と補助脚５０とから保持手段が構成される。また、前記補助脚５０は、常にはヒンジ５２に設けられた付勢手段により上部ケース１２の底部に沿って倒れた状態で保持されるから、前記機械室２６に配設された冷却ユニット２８等と干渉することがない。
【００３１】
なお、前記補助脚５０を上部ケース１２または下部ケース１４において左右両側に配設し、一対の補助脚５０で下部ケース１４に対して上部ケース１２を上部開口が開放された状態に保持する構成を採用し得る。
【００３２】
【発明の効果】
以上に説明した如く、本発明に係る冷蔵ショーケースによれば、下部ケースから取り外した上部ケースを、下部ケースの上部開口が開放した状態で該下部ケースの上方に保持する保持手段を機械室内の余剰スペースに設けることで、取り外された上部ケースを別の場所に仮置きするためのスペースが必要なくなる利点がある。またメンテナンスに際して、床との間に枕木を介在させる必要がないので、枕木を別途用意や、また排水管を傷付けないよう枕木の位置合わせこと等のメンテナンスに要する手間を省くことができる。
【００３３】
上部ケースを下部ケースから取り外してメンテナンスをする際に、上部ケースおよび下部ケースに夫々設けた支柱を互いに嵌合させて、上部ケースを下部ケースから離間支持するので、上部ケースの仮置きスペースを別の場所に確保する必要がなく、メンテンスを省スペースで実施し得る。また上部ケースの底部に、前記上部支柱と離間して補助脚を設けることで、該支柱のみで片持ち支持できないような左右方向に長尺な冷蔵ショーケースについてもメンテナンスを実施することができる。
【００３４】
またメンテナンスに際し、上部ケースを下部ケースから取り外し、該上部ケースを移動させると、これに伴って前記余裕部分は延伸して該上部ケースの移動を許容するようになっている。従って、メンテナンス作業に際し、前記冷媒配管を溶断および溶接接合する手間が省けると共に、溶接装置等の特別な機器は必要なくなる。また、前記冷媒配管を溶断および再溶接による手間の発生や、溶接品質が低下がなくなる。
【図面の簡単な説明】
【図１】本発明の好適な第１実施例に係る冷蔵ショーケースを示す側断面図である。
【図２】第１実施例に係る冷蔵ショーケースのメンテナンス時の状態を示す側断面図である。
【図３】（ａ）は第１実施例に係る冷蔵ショーケースの分離状態を示し、（ｂ）はメンテンス時の状況を示す正面図である。
【図４】第１実施例に係る冷蔵ショーケースのメンテナンス時に、上部ケースを回動した状態を示す平面図である。
【図５】第２実施例に係る冷蔵ショーケースのサイドカバーを取り外した状態を示す側面図である。
【図６】（ａ）は変更例に係る冷蔵ショーケースの分離状態を示し、（ｂ）はメンテンス時の状況を示す正面図である。
【図７】一般的な冷蔵ショーケースを示す概略斜視図である。
【図８】従来の冷蔵ショーケースのサイドカバーを取り外した状態を示す側面図である。
【符号の説明】
１２  上部ケース，１４  下部ケース，１６  収納室，２６  機械室
２８  冷却ユニット，３０  上部支柱（保持手段），３２  嵌合凹部（第１嵌合部）
４０  下部支柱（保持手段），４２  嵌合凸部（第２嵌合部）
５０  補助脚（保持手段），６４  上部冷却管（冷却器），６６  下部冷却管（冷却器）
６８  冷媒配管
【図１】
2005009694.tif 000003
【図２】
2005009694.tif 000004
【図３】
2005009694.tif 000005
【図４】
2005009694.tif 000006
【図５】
2005009694.tif 000007
【図６】
2005009694.tif 000008
【図７】
2005009694.tif 000009
【図８】
2005009694.tif 000010